(57)【要約】      （修正有）【課題】ジュースミキサーの構造に関し、特に分解しやすく、省エネ且つ低騒音、粉砕及び研磨のダブル機能を備えるジュースミキサーを提供する。【解決手段】台座２の内部にモーター２１を設置し、台座の上方に粉砕研磨部品３を設置する。該粉砕研磨部品は接続台５を含み、該接続台の片側に開閉できる液体の出口５３を設ける。ボトル４を接続台の上方に位置し、接続台の頂部及びボトルの底部に一つのスペース４１を形成し、該スペースは液体の出口と連通する。また、該ボトルの底部及び接続台の頂部の間に、上から下に順にカッター６、第一研磨ディスク７及び第二研磨ディスク８を設置し、該カッター、第二研磨ディスク及びスピンドル２２は同じ軸心で接続する。それにより、モーターが回転する際、カッターでボトル内にある食物、野菜果物を粉砕し、続けて第一研磨ディスク及び第二研磨ディスクが粉砕後の食物、野菜果物に研磨を行い、研磨後ジュースが出口から流れ出る。【選択図】図１
0003169501.tif 000002
【実用新案登録請求の範囲】
【請求項１】
台座、粉砕研磨部品を含み、
該台座２の内部にモーターを設け、該モーターに一つのスピンドルを設け、
該粉砕研磨部品を前記台座の上方に設置し、該粉砕研磨部品に含まれるのは、接続台及びボトルであり、該接続台の片側に液体の出口を設け、該ボトルを接続台の上方に定置付けし、接続台の頂部及びボトルの底部の間にスペースを形成し、該スペースと液体の出口は連通し、
該ボトルの底部と接続台の頂部の間に、上から下に順にカッター、第一研磨ディスク及び第二研磨ディスクを設置し、該カッター、第二研磨ディスク及びスピンドルは同じ軸心で接続するため、モーターが回転する際、スピンドル、第二研磨ディスク及びカッターも同時に回転し、ボトル内にある食物や野菜果物を粉砕し、第一研磨ディスク及び第二研磨ディスクが粉砕後の食物や野菜果物を研磨することを特徴とするジュースミキサーの構造。
【請求項２】
該第一研磨ディスクはサークル型を呈し、ボトルの底部に固定し、また、第一研磨ディスクの底面に複数の下研磨歯を設け、第二研磨ディスクの頂面に、下研磨歯と対応する複数個の上研磨歯を設置することを特徴とする請求項１記載のジュースミキサーの構造。
【請求項３】
前記第一研磨ディスクの内側リングは円すい型を呈し、該円すい型の内壁に一つの阻止層を設けることを特徴とする請求項２記載のジュースミキサーの構造。
【請求項４】
前記接続台の片側に流量制御弁を設け、液体出口の開閉をコントロールすることを特徴とする請求項２、請求項３或いは請求項４記載のジュースミキサーの構造。
【請求項５】
本考案は更に接続部品を含み、該接続部品の下端はスピンドルの頂上と接続し、該接続部品の上端は同軸で第二研磨ディスクの底辺と接続することを特徴とする請求項４記載のジュースミキサーの構造。
【請求項６】
前記モーターは誘導サーボモータであることを特徴とする請求項４記載のジュースミキサーの構造。
【請求項７】
前記第一研磨ディスクの内側リングは円すい型であり、第二研磨ディスクの外側リングは第一研磨ディスクの内側リングに対応して円すい型であることを特徴とする請求項１記載のジュースミキサーの構造。
【考案の詳細な説明】
【技術分野】
【０００１】
本考案はジュースミキサーの構造に関し、特に分解しやすく、省エネ且つ低騒音、粉砕及び研磨のダブル機能を備えるジュースミキサーの構造に関する。
【背景技術】
【０００２】
時代が進歩するにつれ、特に商工業の発展や、土地の高度開発により、人々の心労が増える一歩で、体を動かす機会がますます少なくなることで、次第に人間は体の機能の退化を感じ、健康が脅かされていると実感するようになった。よって、人々は運動の重要性を真剣に考えるようになり、且つ健康な食事に対する要求もますます高くなる。
【０００３】
飲食面では様々な栄養バランスが大変重要である。現在野菜及び豆類の食物調理では、様々な調理器具が発明されており、食物及び野菜を粉砕したり、ジュースにしたりと、素早く栄養補給できるようになった。しかし、一般の調理器具の原理とは、ブラシレスモーターを高速回転して、カッターが食物を粉砕して混合する。高速回転で粉砕すると、電気を消耗するだけでなく、大きな騒音が伴う。また、高速回転で粉砕すると、食物の養分は迅速に酸化されるため、返って食物自身の栄養価値を下げることになる。食物繊維や果物の皮及び種を粉々に砕けたとしても、水溶性繊維に分解することは難しく、人がそれを飲み込んで吸収することは難しいため、このような調理器具は理想的なものではない。
【０００４】
しかし、上述の調理器具のモーターの回転数を下げると、上述の問題を克服できるが、食物及び野菜果物を完全に粉砕することは難しい。よって、調理器具に上下相対する研磨ディスクを具有し、低速で食物と野菜果物を研磨する調理器具が案出された。ただし、研磨の方法のみを用いて食物と野菜果物を処理するのは、効率面では理想的なものではない。また、この類の調理器具の組合せ部品が大変多く、使用後は必ず分解して洗う必要があり、使用上大変不便且つ時間を浪費することを鑑みて、更なる改善が必要であった。
【先行技術文献】
【特許文献】
【０００５】
【特許文献１】実用新案公開平６−６６５３３号公報
【考案の概要】
【考案が解決しようとする課題】
【０００６】
本考案の第１の目的は、同軸にスピンドルモーター、第二研磨ディスク及びカッターを設置し、モーターが回転する際、食物と野菜果物を順次粉砕及び研磨を行うジュースミキサーの構造を提供することにある。
本考案の第２の目的は、誘導サーボモータでスピンドルを低速回転し、カッター及び第一、第二研磨ディスクを用いて粉砕及び研磨することで、食物本来の栄養を有効的に保つジュースミキサーの構造を提供することにある。
本考案の第３の目的は、カッター及び研磨部品の底部に流量制御弁の構造を設けることで、オンオフする際に、食物と野菜果物を粉砕する、或いは粉砕してから研磨を行う機能をセレクトできるジュースミキサーの構造を提供することにある。
【課題を解決するための手段】
【０００７】
前記課題を解決するために、本考案はジュースミキサーの構造を提供するものである。本考案に含まれるのは台座及び粉砕研磨部品である。該台座の内部にモーターを設置し、モーターにスピンドルを設ける。該粉砕研磨部品を台座の上方に設置し、該粉砕研磨部品は接続台及びボトルを含む。該接続台の片側に開閉できる液体の出口を設ける。該ボトルを接続台の上方に位置し、接続台の頂部及びボトルの底部に一つのスペースを形成し、該スペースと液体の出口は連通する。また、該ボトルの底部及び接続台の頂部の間に、上から下に順にカッター、第一研磨ディスク及び第二研磨ディスクを設置し、該カッター、第二研磨ディスク及びスピンドルは同じ軸心で接続する。それにより、モーターが回転する際、スピンドルと第二研磨ディスク及びカッターを同時に回転させ、ボトル内にある食物、野菜果物を粉砕し、続けて第一研磨ディスク及び第二研磨ディスクが粉砕後の食物、野菜果物に研磨を行い、研磨後ジュースが出口から流れ出る。
【０００８】
実施する際、該第一研磨ディスクはサークル型を呈し、第一研磨ディスクをボトルの底部に固定する。また、第一研磨ディスクの底面に複数個の下研磨歯を設け、第二研磨ディスクの頂面に該下研磨歯に対応する複数個の上研磨歯を設置する。
【０００９】
実施する際、該接続台の片側に流量制御弁を設置し、液体の出口の開閉をコントロールする。
【００１０】
実施する際、該モーターは誘導サーボモータとする。
【考案の効果】
【００１１】
本考案は誘導サーボモータを使用し、第一研磨ディスクをボトルに固定し、同軸にスピンドルモーター、第二研磨ディスク及びカッターを設置して低速回転し、食物と野菜果物を順次粉砕及び研磨を行うことで、食物本来の栄養を有効的に保つことができる。また、省エネで低騒音である。
【図面の簡単な説明】
【００１２】
【図１】本考案の最良実施例の組合せ断面図である。
【図２】本考案の最良実施例の部品分解図である。
【図３】本考案の第一研磨ディスクの立体外観図である。
【図４】本考案の使用状態図である。
【図５】本考案の第一研磨ディスク及び第二研磨ディスクの第二実施例の組合せ断面略図である。
【考案を実施するための形態】
【００１３】
図１及び図２に示すのは、本考案のジュースミキサー１の最良実施例であり、それに含まれるのは台座２及び粉砕研磨部品３である。
【００１４】
該台座２はおよそ円柱型であり、内部にモーター２１を設ける。該モーター２１の内部に一つのスピンドル２２を設け、該スピンドル２２の上端はモーター２１の頂部から突出し、そこに一つの接続部品２３を設置する。実施する際、最良のモーター２１は、ブラシレス誘導サーボモータセンサーであり、スピンドル２２を低速で回転させる。
【００１５】
該粉砕研磨部品３を台座２の上方に設置し、該粉砕研磨部品３に含まれるのは、ボトル４、接続台５、カッター６、第一研磨ディスク７及び第二研磨ディスク８である。該ボトル４を回転台５の上方に定置し、ボトル４の内部は食物や野菜果物を入れるスペース４１を形成し、該ボトル４の底部に一つの上向きに窪んだノッチ４２を設け、該ノッチ４２はボトル４内部のスペース４１と連通する。
【００１６】
該接続台５の上に上下貫通する軸穴５１を設け、該接続台５の片側に導管５２を設置し、該導管５２の片端は液体の出口５３を形成する。該液体の出口５３は流量制御弁５４でその開閉をコントロールする。該接続台５の頂上に収納槽５５を設置し、該収納槽５５は接続台５の頂上から下向きに窪み、該収納槽５５は該導管５２と液体の出口５３が連通する。また、該収納槽５５の外形とボトル４の底部にあるノッチ４２は相対し、ボトル４が接続台５の上方に定置付けする際、収納槽５５とノッチ４２が合併して一つのスペースを形成する。
【００１７】
カッター６、第一研磨ディスク７及び第二研磨ディスク８は上から下に順に接続台５の頂部にある収納槽５５とボトル４の底部の間に設置し、且つ該カッター６、第一研磨ディスク７及び第二研磨ディスク８は同じ軸心に接続する。図２及び図３に示すように、該第一研磨ディスク７はボトル４の底部にあるノッチ４２内に固定する。該第一研磨ディスク７はサークル型を呈し、該第一研磨ディスク７の内側リングは上が小さく、下が大きい円すい型であり、該円すい型の内壁に複数の歯を設け、該複数の歯は阻止層７１となる。実施する際、該阻止層７１は複数の突起粒で組成することもできる。該第一研磨ディスク７の底面に複数の下研磨歯７２を設置する。本実施例では、該第一研磨ディスク７の底面に内側から外側に拡散する内側リング及び外側リングを設置し、該内側リングに複数の内側研磨歯７３を、外側リングに複数の外側研磨歯７４を設け、該内側研磨歯７３及び外側研磨歯７４は合わせて下研磨歯７２を構成する。実施する際、該第一研磨ディスク７の底面に全て同じ形状の複数の下研磨歯７２を設置し、或いは二つ以上のサークル面を設け、且つ各サークル面にそれぞれ異なる形状の複数の下研磨歯７２を設置することができる。
【実施例】
【００１８】
図１及び図２に示すように、該第二研磨ディスク８は円盤型であり、該底部に下向きに延伸するシャフト８１を設け、該シャフト８１は下向きに接続台５の軸穴５１を貫通することで、第二研磨ディスク８を接続台５の頂部に定置付けする。また、該シャフト８１の底部に一つのスリーブ８２を接続し、該スリーブ８２を接続部品２３に套接するため、シャフト８１とモーター２１のスピンドル２２が同時に回転することができる。実施する際、該スリーブ８２内部と接続部品２３の外部はまた、それぞれ互いに掛合する構造に設置し、同様にシャフト８１がモーター２１のスピンドル２２と離れたり、接続したりすることができる。また、該第二研磨ディスク８の頂上に複数の下研磨歯７２と対応する複数の上研磨歯８３を設置する。該カッター６を第二研磨ディスク８の頂面中央の上方に接続固定し、それをボトル４の内部スペース４１の底部に設置する。
【００１９】
図４に示すように、切削した後、直接飲用できる食物や野菜果物の場合、流量制御弁５４を閉じ、食物と野菜果物をボトル内４に入れ、モーター２１を起動して運転を開始すれば、モーター２１のスピンドル２２、第二研磨ディスク８及びカッター６が同時に回転し、カッター６がボトル４内にある食物野菜果物を粉砕し、粉砕終了後直接コップなどに注いで飲むことができる。このとき、一般的に粉砕をする際、幾らかの液体をボトル４内に注ぎ、粉砕しやすくさせる。これらの液体は収納槽５５及び導管５２内に充填し、食物と野菜果物だけをボトル４内に留まらせてカッター６で粉砕する。細かく研磨する必要のある豆類や、研磨して栄養を取り出す必要のあるその他の果実類の食物にとって、流量制御弁５４を閉じて先に粉砕する。次に流量制御弁５４を開くと、重力によって粉砕したあと、比較的粗い顆粒や繊維を含む液体を下向きに流し、更に第一研磨ディスク７及び第二研磨ディスク８によって研磨し、研磨した後の食物と野菜果物の搾汁を、出口５３から外に流出する。
【００２０】
図５に示すように、該第一研磨ディスク７の内側リングは円すい型とすることができ、且つ該円すい型に内側研磨歯を設ける。該第二研磨ディスク８の外側リングには、該第一研磨ディスク７の内側リングと対応する円すい型であり、且つ該外側リングに外側研磨歯を設ける。このように、比較的粗い顆粒と繊維を含む液体が下に流れた後に、研磨を行うことができる。
【産業上の利用可能性】
【００２１】
本考案のメリットは下記の通りである：
１、本考案のスピンドルモーター、第二研磨ディスク及びカッターは低速で同時回転することができるため、食物と野菜果物の繊維や、果物の皮及び種を順次に粉砕して研磨し、水溶性繊維に分解するため、食物の栄養を保ち、酸化されない。
２、本考案は重力を利用し、直接清潔な水で使用後の各部品を清掃することができ、分解して清掃する時間を節約することができる。
３、本考案のボトル及び粉砕研磨部品はモーターのスピンドルと連結或いは分離することができるため、シンプルな構造で使い易い。
４、本考案のスピンドルモーター、第二研磨ディスク及びカッターは誘導サーボモータによって低速で駆動し、該誘導サーボモータの消費電力はおよそ８０〜２５０ワットであり、寿命は約２０，０００時間である。従来のブラシレスモーターが高速で運転する際の消費電力は約８００〜１０００ワット、寿命は約５００時間である。本考案は省エネであり、エネルギーの浪費を無くし、使用寿命を延ばすとともに、回転を下げることで有効的に騒音を減らすことができる。
５、本考案は一般の食物、野菜果物をセレクトして粉砕する。或いは豆類を暫く粉砕してから研磨を行うことができるなど、ニーズに応じて使用することができる。
【００２２】
本考案は構造がシンプルで便利に使用することができ、省エネ且つ騒音を下げるとともに、低速で粉砕及び研磨ができるダブル機能のジュースミキサーである。
【００２３】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２４】
１  ジュースミキサー
２  台座
２１  モーター
２２  スピンドル
２３  接続部品
３  粉砕研磨部品
４  ボトル
４１  スペース
４２  ノッチ
５  接続台
５１  軸穴
５２  導管
５３  液体の出口
５４  流量制御弁
５５  収納槽
６  カッター
７  第一研磨ディスク
７１  阻止層
７２  下研磨歯
７３  内研磨歯
７４  外研磨歯
８  第二研磨ディスク
８１  シャフト
８２  スリーブ
８３  上研磨歯
【図１】
0003169501.tif 000003
【図２】
0003169501.tif 000004
【図３】
0003169501.tif 000005
【図４】
0003169501.tif 000006
【図５】
0003169501.tif 000007
【手続補正書】
【提出日】平成23年6月1日(2011.6.1)
【手続補正１】
【補正対象書類名】実用新案登録請求の範囲
【補正対象項目名】請求項１
【補正方法】変更
【補正の内容】
【請求項１】
台座、粉砕研磨部品を含み、
該台座の内部にモーターを設け、該モーターに一つのスピンドルを設け、
該粉砕研磨部品を前記台座の上方に設置し、該粉砕研磨部品に含まれるのは、接続台及びボトルであり、該接続台の片側に液体の出口を設け、該ボトルを接続台の上方に定置付けし、接続台の頂部及びボトルの底部の間にスペースを形成し、該スペースと液体の出口は連通し、
該ボトルの底部と接続台の頂部の間に、上から下に順にカッター、第一研磨ディスク及び第二研磨ディスクを設置し、該カッター、第二研磨ディスク及びスピンドルは同じ軸心で接続するため、モーターが回転する際、スピンドル、第二研磨ディスク及びカッターも同時に回転し、ボトル内にある食物や野菜果物を粉砕し、第一研磨ディスク及び第二研磨ディスクが粉砕後の食物や野菜果物を研磨することを特徴とするジュースミキサーの構造。
【手続補正２】
【補正対象書類名】実用新案登録請求の範囲
【補正対象項目名】請求項４
【補正方法】変更
【補正の内容】
【請求項４】
前記接続台の片側に流量制御弁を設け、液体出口の開閉をコントロールすることを特徴とする請求項１〜３のいずれかに記載のジュースミキサーの構造。
【手続補正３】
【補正対象書類名】実用新案登録請求の範囲
【補正対象項目名】請求項５
【補正方法】変更
【補正の内容】
【請求項５】
更に接続部品を含み、該接続部品の下端はスピンドルの頂上と接続し、該接続部品の上端は同軸で第二研磨ディスクの底辺と接続することを特徴とする請求項４記載のジュースミキサーの構造。